(57)【要約】【課題】強度アップを図りながら、表示部の不具合を起こすことなく充電池の発熱及び発火の影響を低減する。【解決手段】背面側が金属製のベゼル２ｅで覆われた板状の表示部２を正面側キャビネット３の表示部収容部３ａに収容し、ベゼル２ｅの背面側に矩形板状の充電池５を収容する。正面側キャビネット３を背面側から背面側キャビネット７で覆い、正面側キャビネット３に充電池５の側面に沿って背面側へ延びるようにリブ４を立設する。背面側キャビネット７の正面に充電池５の背面及び側面を覆うと共に、リブ４を抱え込む金属フレーム１０を設ける。【選択図】図１
2014029376.tif 000002
【特許請求の範囲】
【請求項１】
少なくとも背面側が金属製のベゼルで覆われた板状の表示部と、
上記表示部を収容する表示部収容部を有する正面側キャビネットと、
上記ベゼルの背面側に収容される矩形板状の充電池と、
上記正面側キャビネットを背面側から覆う背面側キャビネットと、
上記正面側キャビネットに上記充電池の側面に沿って背面側へ延びるように立設されたリブと、
上記背面側キャビネットに設けられて上記充電池の背面及び側面を覆うと共に、上記リブを抱え込む金属フレームとを備えている
ことを特徴とする携帯端末。
【請求項２】
請求項１に記載の携帯端末において、
上記ベゼル背面と上記充電池正面との間には、隙間が形成されている
ことを特徴とする携帯端末。
【請求項３】
請求項１又は２に記載の携帯端末において、
上記背面側キャビネットの背面側は、リアカバーで覆われ、
上記金属フレームは、上記リアカバーの正面に密着している
ことを特徴とする携帯端末。
【発明の詳細な説明】
【技術分野】
【０００１】
本発明は、表示部及び充電池を有する携帯端末に関するものである。
【背景技術】
【０００２】
近年、多くの情報を見やすく表示できる携帯端末が好まれているため、表示画面サイズが大きくなる傾向にある。表示画面サイズが大きくなるとその電力を賄う充電池の容量も大きくせざるを得なくなる。充電池の使用電力量が大きくなると、放熱及び発火の対策を行う必要が出てくる。
【０００３】
そこで、携帯電話機などの携帯端末において発熱源である充電池の周りを、特殊な発泡層等の断熱材で囲むことが知られている（例えば特許文献１）。
【先行技術文献】
【特許文献】
【０００４】
【特許文献１】国際公開第２０１０／０３２４８７号パンフレット
【発明の概要】
【発明が解決しようとする課題】
【０００５】
近年、携帯端末全体の小型化及び薄型化が求められており、従来のモデルと同等の強度を保つためには、従来よりも更に筺体の強度を強くする必要がある。なお、発火対策には、難燃材を使用する方法もあるが、材料が高価であり、流動性が悪くて薄肉対応が難しい。
【０００６】
また、表示ディスプレイが大きくなると、表示ディスプレイ自体の撓みが大きく、かつ外圧からの変形がしやすくなり、変形を防止するために表示ディスプレイユニットを板金フレームで受ける構造にすると、画面の黄変等表示の不具合を起こしやすくなるという問題がある。
【０００７】
本発明は、このような点に鑑みてなされたものであり、その目的とするところは、強度アップを図りながら、表示部の不具合を起こすことなく充電池の発熱及び発火の影響を低減することにある。
【課題を解決するための手段】
【０００８】
上記の目的を達成するために、この発明では、金属フレームで矩形板状の充電池の５面を囲むようにした。
【０００９】
具体的には、第１の発明では、
少なくとも背面側が金属製のベゼルで覆われた板状の表示部と、
上記表示部を収容する表示部収容部を有する正面側キャビネットと、
上記ベゼルの背面側に収容される矩形板状の充電池と、
上記正面側キャビネットを背面側から覆う背面側キャビネットと、
上記正面側キャビネットに上記充電池の側面に沿って背面側へ延びるように立設されたリブと、
上記背面側キャビネットに設けられて上記充電池の背面及び側面を覆うと共に、上記リブを抱え込む金属フレームとを備えている。
【００１０】
上記の構成によると、充電池の６面を金属フレーム及び金属製ベゼルで囲っているため、充電池が確実に保護されると共に、充電池が万が一発火しても、正面側キャビネット及び背面側キャビネットに直接熱が伝わらず、燃え移りにくい。充電池を囲む金属フレームが、正面側キャビネットのリブを抱え込んでいるので、充電池周辺の強度が向上し、従来は必要だった表示ディスプレイユニットを受ける板金フレームを設ける必要がなくなる。
【００１１】
第２の発明では、第１の発明において、
上記ベゼル背面と上記充電池正面との間には、隙間が形成されている。
【００１２】
上記の構成によると、充電池を表示部のベゼルから浮かすと共に、板金フレームが設けられないが、金属フレームを背面側キャビネットに固定し、充電池を金属フレームに固定することにより、強度部材（金属、板金等）を内側に設けるよりも、外側に設ける方が、全体の強度が向上し、全体の強度を増やしながら画面表示の不具合を低減することができる。
【００１３】
第３の発明では、第１又は第２の発明において、
上記背面側キャビネットの背面側は、リアカバーで覆われ、
上記金属フレームは、上記リアカバーの正面に密着している。
【００１４】
上記の構成によると、リアカバーに荷重が加わっても、その荷重が金属フレームで支持され、更に正面側キャビネットのリブで支えられるので、充電池が保護される。また、金属フレームがリアカバーに密着しているので、外部へ放熱しやすい。
【発明の効果】
【００１５】
以上説明したように、本発明によれば、正面側キャビネットに充電池の側面に沿って背面側へ延びるようにリブを立設し、背面側キャビネットの正面に金属フレームを配置し、この金属フレームで充電池の背面及び側面を覆うと共にリブを抱え込むようにしたことにより、強度アップを図りながら、表示部の応変等の不具合を起こすことなく、充電池の発熱及び発火の影響を低減することができる。
【図面の簡単な説明】
【００１６】
【図１】図２のＩ−Ｉ線拡大断面図である。
【図２】本発明の実施形態に係る携帯端末を示す正面図である。
【図３】携帯端末を正面側から見た概略分解斜視図である。
【図４】携帯端末を背面側から見た概略分解斜視図である。
【図５】正面側キャビネットを背面側から見た斜視図である。
【図６】金属フレームを正面側から見た斜視図である。
【発明を実施するための形態】
【００１７】
以下、本発明の実施形態を図面に基づいて説明する。
【００１８】
図２〜図４は本発明の実施形態の携帯情報端末よりなる携帯端末１を示し、この携帯端末１は、表示部２を収容する表示部収容部３ａを有する正面側キャビネット３を有する。図５に示すように、正面側キャビネット３は、例えば矩形板状の樹脂成形品よりなる。正面側キャビネット３の周縁には、平坦なパッキン押圧部３ｂが形成され、その内周側にボス部３ｃが離散的に配置されている。正面側キャビネット３の内部には、背面側へ延びるように矩形状にリブ４が立設され、リブ４に囲まれた矩形状領域が開口している。
【００１９】
表示部２は、図３及び図４にも示すように、飛散防止フィルム２ａ、タッチパネルガラス２ｂ、タッチパネルテープ２ｃ、ディスプレイユニット２ｄ等の積層構造よりなる。ディスプレイユニット２ｄの背面及び側面は、金属製の矩形皿状のベゼル２ｅで覆われている。ベゼル２ｅの背面側のリブ４の内部の開口に矩形板状の充電池５が収容されている。リブ４には、充電池５の突起５ａを挿入する切欠４ａが配置されている。正面側キャビネット３におけるリブ４の外側には、Ｌ字状のメイン基板６が取り付けられるようになっている。
【００２０】
正面側キャビネット３は、背面側から背面側キャビネット７で覆われ、その背面を矩形皿状のリアカバー８で覆われている。
【００２１】
そして、背面側キャビネット７の充電池５に対応する部分は、フレーム用開口７ａが形成されている。このフレーム用開口７ａの周縁にフレームテープ９を介して矩形板状の金属フレーム１０が貼り付けられている。なお、金属フレーム１０は、背面側キャビネット７にインサート成形してもよい。この金属フレーム１０は、充電池５の背面及び４つの側面を覆うと共に、リブ４を抱え込むように配置されている。つまり、図１及び図６に示すように、金属フレーム１０は、充電池５の４つの側面に対向するように４つの内側壁部１１を有すると共にこれら４つの内側壁部１１の外側に、この内側壁部１１とリブ４の厚さよりも若干広く間隔をあけて外側壁部１２が立設されている。外側壁部１２の高さは、内側壁部１１の高さよりも若干低く、このことで、内側壁部１１と外側壁部１２との間にリブ４を挟み込むようになっている。内側壁部１１及び外側壁部１２にも、充電池５の突起５ａが嵌合する切欠１３が形成されている。金属フレーム１０には、正面側キャビネット３のボス部３ｃが挿通される３つのボス挿通孔１０ａが形成されている。
【００２２】
背面側キャビネット７には、上記パッキン押圧部３ｂに対応する位置に矩形枠状にパッキン用溝部７ｂが凹陥され、このパッキン用溝部７ｂに防水パッキン１４が嵌め込まれるようになっている。この防水パッキン１４は、正面側キャビネット３と背面側キャビネット７とを組み合わせたときにパッキン押圧部３ｂに押さえ付けられ、防水効果を発揮する。背面側キャビネット７は、図示されないビスにより、孔部７ｃを介して、正面側キャビネット３のボス３ｃに固定される。充電池５は、図示されないビスにより、突起５ａを介して、金属フレーム１０の切欠１３に固定される。
【００２３】
図１に拡大して示すように、ベゼル２ｅの背面と充電池５正面との間には、所定の隙間Ｃが形成されている。隙間Ｃの大きさは、衝撃を受けたとき、充電池５が膨らんでしまったときになどに、充電池とベゼル２ｅとが接触しない程度の大きさとすればよい。
【００２４】
一方で、金属フレーム１０は、リアカバー８の正面に所定の隙間を保つのではなく密着又は、ほぼ密着（多少隙間のある部分があってもよい状態）している。
【００２５】
このように、充電池５を金属フレーム１０及びベゼル２ｅで囲っているため、充電池５が万が一発火しても、正面側キャビネット３及びリアカバー８に直接熱が伝わらず、燃え移りにくい。また、金属フレーム１０がリアカバー８に密着しているので、外部へ放熱しやすい。
【００２６】
更に、充電池５を囲む金属フレーム１０が、正面側キャビネット３のリブ４を抱え込んでいるので、背面側キャビネット７に荷重が加わると、金属フレーム１０で支持されると共に、正面側キャビネット３のリブ４で支えられるので、充電池５が確実に保護される。
【００２７】
そして、充電池５を表示ディスプレイのベゼル２ｅから浮かし、金属フレーム１０を背面側に設けることにより、背面側の強度が向上しているので、従来は必要だった表示ディスプレイユニットを受ける板金フレームを設ける必要がなくなる。このため、全体の強度を増やしながら画面表示の不具合を低減することができる。
【００２８】
したがって、本実施形態に係る携帯端末１によると、強度アップを図りながら、表示部２の黄変等の不具合を防止し、充電池５の発熱及び発火の影響を低減することができる。
【００２９】
（その他の実施形態）
本発明は、上記実施形態について、以下のような構成としてもよい。
【００３０】
すなわち、上記実施形態では、リブ４、内側壁部１１及び外側壁部１２は、切欠４ａ，１３で途切れているが、更に切欠４ａ，１３以外の部分でも途切れた離散的に配置されたものとしてもよい。
【００３１】
また、上記実施形態では、携帯端末１は、携帯情報端末としたが、表示部及び充電池を有するものであれば、携帯電話機、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３２】
なお、以上の実施形態は、本質的に好ましい例示であって、本発明、その適用物や用途の範囲を制限することを意図するものではない。
【産業上の利用可能性】
【００３３】
以上説明したように、本発明は、表示部及び充電池を有する携帯端末について有用である。
【符号の説明】
【００３４】
１      携帯端末
２      表示部
２ａ    飛散防止フィルム
２ｂ    タッチパネルガラス
２ｃ    タッチパネルテープ
２ｄ    ディスプレイユニット
２ｅ    ベゼル
３      正面側キャビネット
３ａ    表示部収容部
３ｂ    パッキン押圧部
３ｃ    ボス部
４      リブ
４ａ    切欠
５      充電池
５ａ    突起
６      メイン基板
７      背面側キャビネット
７ａ    フレーム用開口
７ｂ    パッキン用溝部
７ｃ    孔部
８      リアカバー
９      フレームテープ
１０      金属フレーム
１０ａ    ボス挿通孔
１１      内側壁部
１２      外側壁部
１３      切欠
１４      防水パッキン
Ｃ      隙間
【図１】
2014029376.tif 000003
【図２】
2014029376.tif 000004
【図３】
2014029376.tif 000005
【図４】
2014029376.tif 000006
【図５】
2014029376.tif 000007
【図６】
2014029376.tif 000008